(57)【要約】      （修正有）【課題】Ｃ．Ｉ．Ａｃｉｄ  Ｂｌａｃｋ  １７２、Ｃ．Ｉ．Ａｃｉｄ  Ｂｌａｃｋ  １９４が有する優れた特徴を生かしつつ、吐出安定性にも優れたインクジェット用組成物を提供すること。【解決手段】Ｃ．Ｉ．Ａｃｉｄ  Ｂｌａｃｋ  １７２およびＣ．Ｉ．Ａｃｉｄ  Ｂｌａｃｋ  １９４からなる群から選択される１種以上の色材である特定染料と、特定芳香族化合物とを含み、前記特定染料１００質量部に対する前記特定芳香族化合物の含有量が０．２質量部以上５０質量部以下である本発明の水性インクジェット用組成物。【選択図】なし【特許請求の範囲】
【請求項１】
Ｃ．Ｉ．Ａｃｉｄ  Ｂｌａｃｋ  １７２およびＣ．Ｉ．Ａｃｉｄ  Ｂｌａｃｋ  １９４からなる群から選択される１種以上の色材である特定染料と、
下記式（１）で示される化合物、下記式（２）で示される化合物、下記式（３）で示される化合物および下記式（４）で示される化合物よりなる群から選択される少なくとも１種の化合物である特定芳香族化合物とを含み、
前記特定染料１００質量部に対する前記特定芳香族化合物の含有量が０．２質量部以上５０質量部以下であることを特徴とする水性インクジェット用組成物。
【化１】
2019172778.tif 000013
【化２】
2019172778.tif 000014
【化３】
2019172778.tif 000015
【化４】
2019172778.tif 000016
【請求項２】
水性インクジェット用組成物中における前記特定芳香族化合物の含有率が０．０２質量％以上５．０質量％以下である請求項１に記載の水性インクジェット用組成物。
【請求項３】
水性インクジェット用組成物中における前記特定染料の含有率が５．０質量％以上１５質量％以下である請求項１または２に記載の水性インクジェット用組成物。
【請求項４】
２５℃における粘度が２ｍＰａ・ｓ以上３０ｍＰａ・ｓ以下である請求項１ないし３のいずれか１項に記載の水性インクジェット用組成物。
【発明の詳細な説明】
【技術分野】
【０００１】
本発明は、水性インクジェット用組成物に関する。
【背景技術】
【０００２】
近年、インクジェットプリントの用途が拡大しており、オフィス、家庭用の印刷機としてのほか、商業印刷、テキスタイルプリント等へも適用されている。
【０００３】
そして、染料を含むインクジェット用インク（インクジェット用組成物）も用いられている。
【０００４】
インクジェット用インクでは、所望のパターンを形成するために、インクジェット法による吐出において優れた安定性（吐出安定性）が求められる。
【０００５】
インクジェット用インクの吐出安定性を向上させるために、ポリオキシエチレンアルキルエーテル酢酸塩系界面活性剤を含ませたインクジェット用インクが提案されている（特許文献１参照）。
【先行技術文献】
【特許文献】
【０００６】
【特許文献１】特開２００２−２５６１８７号公報
【発明の概要】
【発明が解決しようとする課題】
【０００７】
しかしながら、ポリオキシエチレンアルキルエーテル酢酸塩系界面活性剤は、所定の種類の着色剤（特に、自己分散型顔料）と併用した場合には、優れた効果が得られるが、すべての着色剤について吐出安定性の向上の効果が得られるわけではなかった。特に、Ｃ．Ｉ．Ａｃｉｄ  Ｂｌａｃｋ  １７２、Ｃ．Ｉ．Ａｃｉｄ  Ｂｌａｃｋ  １９４は、発色性に優れる等の特長を有しているが、一方で、ポリオキシエチレンアルキルエーテル酢酸塩系界面活性剤と併用した場合における吐出安定性の向上の効果が不十分であった。
【課題を解決するための手段】
【０００８】
本発明は、上述の課題を解決するためになされたものであり、以下の適用例として実現することができる。
【０００９】
［１］  Ｃ．Ｉ．Ａｃｉｄ  Ｂｌａｃｋ  １７２およびＣ．Ｉ．Ａｃｉｄ  Ｂｌａｃｋ  １９４からなる群から選択される１種以上の色材である特定染料と、
下記式（１）で示される化合物、下記式（２）で示される化合物、下記式（３）で示される化合物および下記式（４）で示される化合物よりなる群から選択される少なくとも１種の化合物である特定芳香族化合物とを含み、
前記特定染料１００質量部に対する前記特定芳香族化合物の含有量が０．２質量部以上５０質量部以下であることを特徴とする水性インクジェット用組成物。
【００１０】
【化１】
2019172778.tif 000002
【００１１】
【化２】
2019172778.tif 000003
【００１２】
【化３】
2019172778.tif 000004
【００１３】
【化４】
2019172778.tif 000005
【００１４】
［２］  水性インクジェット用組成物中における前記特定芳香族化合物の含有率が０．０２質量％以上５．０質量％以下である上記［１］に記載の水性インクジェット用組成物。
【００１５】
［３］  水性インクジェット用組成物中における前記特定染料の含有率が５．０質量％以上１５質量％以下である上記［１］または［２］に記載の水性インクジェット用組成物。
【００１６】
［４］  ２５℃における粘度が２ｍＰａ・ｓ以上３０ｍＰａ・ｓ以下である上記［１］ないし［３］のいずれかに記載の水性インクジェット用組成物。
【発明を実施するための形態】
【００１７】
以下、本発明の好適な実施形態について詳細に説明する。
＜水性インクジェット用組成物＞
ところで、各種染料（特に、酸性染料）の中でも、Ｃ．Ｉ．Ａｃｉｄ  Ｂｌａｃｋ  １７２、Ｃ．Ｉ．Ａｃｉｄ  Ｂｌａｃｋ  １９４は、発色性に優れる等の特長を有する一方で、以下のような問題を有していた。すなわち、Ｃ．Ｉ．Ａｃｉｄ  Ｂｌａｃｋ  １７２、Ｃ．Ｉ．Ａｃｉｄ  Ｂｌａｃｋ  １９４は、従来、水性インクジェット用組成物の構成成分として用いたときに、ノズル近傍に染料が析出し、インクジェット法による吐出を安定的に行うことができないという問題があった。
【００１８】
そこで、本発明者は、Ｃ．Ｉ．Ａｃｉｄ  Ｂｌａｃｋ  １７２、Ｃ．Ｉ．Ａｃｉｄ  Ｂｌａｃｋ  １９４が有する優れた特徴を生かしつつ、上記のような問題の発生を効果的に防止することができる水性インクジェット用組成物を提供することを目的に鋭意研究を行った。
その結果、本発明に至った。
【００１９】
すなわち、本発明の水性インクジェット用組成物は、Ｃ．Ｉ．Ａｃｉｄ  Ｂｌａｃｋ  １７２およびＣ．Ｉ．Ａｃｉｄ  Ｂｌａｃｋ  １９４からなる群から選択される１種以上の色材である特定染料と、下記式（１）で示される化合物、下記式（２）で示される化合物、下記式（３）で示される化合物および下記式（４）で示される化合物よりなる群から選択される少なくとも１種の化合物である特定芳香族化合物とを含み、前記特定染料１００質量部に対する前記特定芳香族化合物の含有量が０．２質量部以上５０質量部以下であることを特徴とする。
【００２０】
【化５】
2019172778.tif 000006
【００２１】
【化６】
2019172778.tif 000007
【００２２】
【化７】
2019172778.tif 000008
【００２３】
【化８】
2019172778.tif 000009
【００２４】
このような構成により、発色性に優れる等のＣ．Ｉ．Ａｃｉｄ  Ｂｌａｃｋ  １７２、Ｃ．Ｉ．Ａｃｉｄ  Ｂｌａｃｋ  １９４の特長を生かしつつ、インクジェット法による吐出を安定的に行うことができる水性インクジェット用組成物を提供することができる。
【００２５】
より具体的には、特定染料とともに、特定芳香族化合物を所定の割合で含有させることにより、特定染料の溶解度や溶解の安定性を向上させることができる。その結果、特定染料が不本意に析出し、例えば、ヘッドフィルターやノズル等に詰まりが生じることを効果的に防止することができる。特に、間欠吐出特性の向上および、インクジェット法により吐出を行う装置（プリンター）の休止復帰後の吐出の安定性（回復性）を向上させることができる。これにより、フラッシングの間隔を長くすることが可能となり、印刷速度のさらなる向上にも寄与することができる。
【００２６】
これに対し、上記の構成を満たさないと満足のいく結果が得られない。
例えば、染料として、Ｃ．Ｉ．Ａｃｉｄ  Ｂｌａｃｋ  １７２およびＣ．Ｉ．Ａｃｉｄ  Ｂｌａｃｋ  １９４のうちの少なくとも一方（特定染料）を含んでいないと、十分な発色性が得られない。
【００２７】
また、上記式（１）〜式（４）で示される化合物（特定芳香族化合物）を含んでいない場合には、ノズル近傍での特定染料（Ｃ．Ｉ．Ａｃｉｄ  Ｂｌａｃｋ  １７２およびＣ．Ｉ．Ａｃｉｄ  Ｂｌａｃｋ  １９４）の析出を好適に防止することができず、インクジェット法による吐出が不安定になる。
【００２８】
また、上記式（１）〜式（４）で示される化合物（特定芳香族化合物）を含んでいたとしても、その含有量が少なすぎると、特定染料の析出を好適に防止することができず、インクジェット法による吐出が不安定になる。
【００２９】
また、上記式（１）〜式（４）で示される化合物（特定芳香族化合物）の含有量が多すぎると、水性インクジェット用組成物の粘度が高くなり、やはり、インクジェット法による吐出を安定的に行うことができない。また、休止復帰後の吐出の安定性（回復性）を劣化させる傾向にある。
【００３０】
［特定染料］
本発明の水性インクジェット用組成物は、染料として、Ｃ．Ｉ．Ａｃｉｄ  Ｂｌａｃｋ  １７２およびＣ．Ｉ．Ａｃｉｄ  Ｂｌａｃｋ  １９４からなる群から選択される１種以上の色材である特定染料を含んでいる。
上述したように、このような特定染料は、発色性に優れるという特長を有している。
【００３１】
水性インクジェット用組成物中における特定染料の含有率は、特に限定されないが、５．０質量％以上１５質量％以下であるのが好ましく、６．０質量％以上１４質量％以下であるのがより好ましく、７．０質量％以上１３質量％以下であるのがさらに好ましい。
【００３２】
これにより、水性インクジェット用組成物を用いて形成される記録部においてより高い色濃度を得ることができるとともに、水性インクジェット用組成物の吐出安定性、保存安定性がさらに向上させることができる。
【００３３】
［特定芳香族化合物］
本発明の水性インクジェット用組成物は、上記式（１）で示される化合物、上記式（２）で示される化合物、上記式（３）で示される化合物および上記式（４）で示される化合物よりなる群から選択される少なくとも１種の化合物である特定芳香族化合物を含んでいる。
【００３４】
このような特定芳香族化合物は、水性インクジェット用組成物や水性インクジェット用組成物による記録部（印刷部）の色味等に対する悪影響がきわめて小さい一方で、特定染料の溶解度や溶解の安定性を向上させる機能を有している。
【００３５】
特定芳香族化合物は、上記４種の化合物の中でも、特に、式（１）で示される化合物を含むものであるのが好ましい。
これにより、前述したような効果がより顕著に発揮される。
【００３６】
水性インクジェット用組成物に含まれる特定芳香族化合物全体に占める式（１）で示される化合物の割合は、１０質量％以上１００質量％以下であるのが好ましく、２０質量％以上１００質量％以下であるのがより好ましく、３０質量％以上１００質量％以下であるのがさらに好ましい。
これにより、前述したような効果がより顕著に発揮される。
【００３７】
前述したように、特定染料１００質量部に対する特定芳香族化合物の含有量は、０．２質量部以上５０質量部以下であればよいが、０．３質量部以上３０質量部以下であるのが好ましく、０．４質量部以上１０質量部以下であるのがより好ましく、０．５質量部以上５．０質量部以下であるのがさらに好ましい。
【００３８】
これにより、水性インクジェット用組成物の粘度が高くなりすぎることを効果的に防止しつつ、前述したような特定芳香族化合物を含むことによる効果がより顕著に発揮される。
【００３９】
水性インクジェット用組成物中における特定芳香族化合物の含有率は、０．０２質量％以上５．０質量％以下であるのが好ましく、０．０３質量％以上３．０質量％以下であるのがより好ましく、０．０４質量％以上２．０質量％以下であるのがさらに好ましく、０．０５質量％以上１．０質量％以下であるのがもっとも好ましい。
【００４０】
これにより、水性インクジェット用組成物の粘度が高くなりすぎることを効果的に防止しつつ、前述したような特定芳香族化合物を含むことによる効果がより顕著に発揮される。
【００４１】
［水］
水性インクジェット用組成物は、水を含んでいる。
水性インクジェット用組成物中における水の含有率は、特に限定されないが、３０質量％以上８５質量％以下であるのが好ましく、３５質量％以上８０質量％以下であるのがより好ましく、４０質量％以上７５質量％以下であるのがさらに好ましい。
【００４２】
これにより、水性インクジェット用組成物の粘度をより確実に好適な値に調整することができ、インクジェット法による吐出安定性をより向上させることができる。
【００４３】
［水以外の溶剤］
水性インクジェット用組成物は、水以外の溶剤を含んでいてもよい。
【００４４】
これにより、例えば、水性インクジェット用組成物の粘度を好適に調整したり、水性インクジェット用組成物の保湿性を高めたりすることができる。その結果、インクジェット法による液滴吐出をより安定的に行うことができる。
【００４５】
水以外の溶剤は、室温（２５℃）において単体で液状をなすもの（液体）であり、沸点（１気圧下での沸点）が１８０℃以上３２０℃以下であるのが好ましく、１８５℃以上３１０℃以下であるのがより好ましく、１９０℃以上３００℃以下であるのがさらに好ましい。
【００４６】
水性インクジェット用組成物中に含まれる水以外の溶剤としては、例えば、アルキレングリコールやそのエーテル、エステル（以下、これらを総称して「アルキレングリコール類」とも言う）；３価以上の多価アルコール；含窒素複素環式化合物；γ−ブチロラクトン等のラクトン類等が挙げられる。
【００４７】
より具体的には、アルキレングリコール類としては、例えば、１，２−ブタンジオール、１，２−ペンタンジオール、１，２−ヘキサンジオール、１，２−ヘプタンジオール、１，２−プロパンジオール（プロピレングリコール）、１，３−プロパンジオール、１，３−ブタンジオール、１，４−ブタンジオール、１，５−ペンタンジオール、１，６−ヘキサンジオール、２−エチル−２−メチル−１，３−プロパンジオール、２−メチル−２−プロピル−１，３−プロパンジオール、２−メチル−１，３−プロパンジオール、２，２−ジメチル−１，３−プロパンジオール、３−メチル−１，３−ブタンジオール、２−エチル−１，３−ヘキサンジオール、３−メチル−１，５−ペンタンジオール、２−メチルペンタン−２，４−ジオール、トリエチレングリコールモノメチルエーテル、トリエチレングリコールモノブチルエーテル、ジエチレングリコールモノメチルエーテル、ジエチレングリコールモノブチルエーテル、ジエチレングリコール、ジプロピレングリコール、トリエチレングリコール等が挙げられる。
【００４８】
３価以上の多価アルコールとしては、グリセリンが挙げられる。
また、含窒素複素環式化合物としては、例えば、Ｎ−メチル−２−ピロリドン、Ｎ−エチル−２−ピロリドン、Ｎ−ビニル−２−ピロリドン、２−ピロリドン、５−メチル−２−ピロリドン等が挙げられる。
【００４９】
水性インクジェット用組成物は、水以外の溶剤としては、１種の成分を含んでいてもよいし、複数種の成分を含んでいてもよい。
【００５０】
水性インクジェット用組成物中における水以外の溶剤の含有率は、１質量％以上４０質量％以下であるのが好ましく、５質量％以上３５質量％以下であるのがより好ましく、１０質量％以上３０質量％以下であるのがさらに好ましい。
これにより、前述した水以外の溶剤を含むことによる効果がより顕著に発揮される。
【００５１】
［尿素類］
水性インクジェット用組成物は、尿素類を含んでいてもよい。
【００５２】
尿素類は、水性インクジェット用組成物の保湿剤として機能したり、染料の染着性を向上させる染着助剤として機能したりする。
【００５３】
尿素類としては、例えば、尿素、エチレン尿素、テトラメチル尿素、チオ尿素、１，３−ジメチル−２−イミダゾリジノン等が挙げられる。
【００５４】
水性インクジェット用組成物中における尿素類の含有率は、０．５質量％以上１５質量％以下であるのが好ましく、１．０質量％以上１２質量％以下であるのがより好ましく、２．０質量％以上１０質量％以下であるのがさらに好ましい。
【００５５】
これにより、特定染料や特定芳香族化合物の含有率が低くなることを防止し、これらの機能を十分に発揮させつつ、前述したような尿素類を含むことによる効果をより顕著に発揮させることができる。
【００５６】
［界面活性剤］
水性インクジェット用組成物は、界面活性剤を含んでいてもよい。
【００５７】
これにより、記録媒体（基材）に対する水性インクジェット用組成物の濡れ性をより好適なものとすることができ、より良好な画質を得る上で有利である。
【００５８】
水性インクジェット用組成物中に含まれる界面活性剤としては、例えば、アニオン系界面活性剤、カチオン系界面活性剤、ノニオン系界面活性剤等の各種界面活性剤を用いることができる。
【００５９】
より具体的には、水性インクジェット用組成物中に含まれる界面活性剤としては、例えば、アセチレン系界面活性剤、シリコーン系界面活性剤、フッ素系界面活性剤等が挙げられる。
【００６０】
水性インクジェット用組成物中における界面活性剤の含有量は、０．２質量％以上４．０質量％以下であるのが好ましく、０．３質量％以上３．５質量％以下であるのがより好ましく、０．５質量％以上３．０質量％以下であるのがさらに好ましい。
【００６１】
これにより、特定染料や特定芳香族化合物の含有率が低くなることを防止し、これらの機能を十分に発揮させつつ、前述したような界面活性剤を含むことによる効果をより顕著に発揮させることができる。
【００６２】
［その他の成分］
水性インクジェット用組成物は、前述した成分以外の成分（その他の成分）を含んでいてもよい。
【００６３】
その他の成分としては、例えば、Ｃ．Ｉ．Ａｃｉｄ  Ｂｌａｃｋ  １７２、Ｃ．Ｉ．Ａｃｉｄ  Ｂｌａｃｋ  １９４以外の着色剤；トリプロパノールアミン（ＴＰＡ）、トリエタノールアミン（ＴＥＡ）、Ｎ，Ｎ−ビス（２−ヒドロキシエチル）−２−アミノエタンスルホン酸（ＢＥＳ）、３−〔４−（２−ヒドロキシエチル）−１−ピペラジニル〕プロパンスルホン酸（ＥＰＰＳ）、２−モルホリノエタンスルホン酸（ＭＥＳ）、ピペラジン−Ｎ，Ｎ’−ビス（２−ヒドロキシプロパンスルホン酸）（ＰＯＰＳＯ）等のｐＨ調整剤；エチレンジアミン四酢酸塩（ＥＤＴＡ）等のキレート化剤；安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンゾイソチアゾリン−３−オン、４−クロロ−３−メチルフェノール等の防腐剤・防かび剤；ベンゾトリアゾール等の防錆剤；酸化防止剤；紫外線吸収剤；酸素吸収剤；溶解助剤等が挙げられる。
【００６４】
その他の成分の含有率（その他の成分として複数種の成分を含む場合は、これらの含有率の総和）は、５質量％以下であるのが好ましく、３質量％以下であるのがより好ましい。
【００６５】
水性インクジェット用組成物の２５℃における粘度は、２ｍＰａ・ｓ以上３０ｍＰａ・ｓ以下であるのが好ましく、３ｍＰａ・ｓ以上２０ｍＰａ・ｓ以下であるのがより好ましく、４ｍＰａ・ｓ以上１０ｍＰａ・ｓ以下であるのがさらに好ましい。
これにより、水性インクジェット用組成物の吐出安定性がより向上する。
なお、粘度は、キャノンフェンスケ粘度計を用いた測定により求めることができる。
【００６６】
本発明の水性インクジェット用組成物は、通常、カートリッジ、袋、タンク等の容器に収納された状態で、インクジェット法による記録装置に適用される。言い換えると、本発明に係る記録装置は、本発明の水性インクジェット用組成物を収納する容器（インクカートリッジ等）を備えるものである。
【００６７】
［記録媒体］
本発明の水性インクジェット用組成物が付与される記録媒体は、特に限定されないが、例えば、布帛（疎水性繊維布帛等）、樹脂（プラスチック）フィルム、紙、ガラス、金属、陶磁器等が挙げられる。また、記録媒体としては、シート状の他、例えば、球状、直方体形状等の立体的な形状を有する物を用いてもよい。
【００６８】
記録媒体が布帛である場合に、布帛を構成する繊維としては、例えば、ポリエステル繊維、ナイロン繊維、トリアセテート繊維、ジアセテート繊維、ポリアミド繊維およびこれらの繊維を２種以上用いた混紡品等が挙げられる。また、これらとレーヨン等の再生繊維あるいは木綿、絹、羊毛等の天然繊維との混紡品を用いてもよい。
【００６９】
また、記録媒体が樹脂（プラスチック）フィルムである場合、当該樹脂（プラスチック）フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。
【００７０】
なお、樹脂（プラスチック）フィルムは、複数の層が積層された積層体であってもよいし、材料の組成が傾斜的に変化する傾斜材料で構成されたものであってもよい。
【００７１】
＜記録方法（記録物の製造方法）＞
例えば、本発明の水性インクジェット用組成物を用いて、通常のインクジェット捺染（例えば、直接捺染）を実施することにより、記録物を得ることができる。
【００７２】
以下、本発明の水性インクジェット用組成物を用いた記録方法（記録物の製造方法）の好適な実施形態について説明する。
【００７３】
本実施形態に係る記録方法（記録物の製造方法）は、記録媒体である布帛に前処理を施す前処理工程と、前処理が施された布帛に、インクジェット法により吐出した水性インクジェット用組成物を付着させる組成物付着工程と、水性インクジェット用組成物による像を布帛（記録媒体）に定着させる定着工程と、前記像が定着された布帛（記録媒体）を洗浄する洗浄工程とを有している。
【００７４】
それぞれの工程には、公知の方法および操作を使用することができるが、以下、各工程の具体的な態様について説明する。
【００７５】
［前処理工程］
本実施形態では、記録媒体である布帛に本発明の水性インクジェット用組成物を付着させる前に、予め、当該布帛に対して前処理を施す。
【００７６】
前処理には、例えば、公知の前処理剤を用いることができるが、前処理剤は、一般に、糊剤、ｐＨ調整剤およびヒドロトロピー剤を含んでいる。
【００７７】
糊剤としては、例えば、グアー、ローカストビーン等の天然ガム類、澱粉類、アルギン酸ソーダ、ふのり等の海草類、ペクチン酸等の植物皮類、メチル繊維素、エチル繊維素、ヒドロキシエチルセルロース、カルボキシメチルセルロース等の繊維素誘導体、焙焼澱粉、アルファ澱粉、カルボキシメチル澱粉、カルボキシエチル澱粉、ヒドロキシエチル澱粉等の加工澱粉、シラツガム系、ローストビーンガム系等の加工天然ガム、アルギン誘導体、あるいは、ポリビニールアルコール、ポリアクリル酸エステル等の合成糊、エマルジョン等を好適に用いることができる。
【００７８】
また、ｐＨ調整剤としては、例えば、硫酸アンモニウム、酒石酸アンモニウム等の酸アンモニウム塩等を好適に用いることができる。
【００７９】
また、ヒドロトロピー剤としては、例えば、尿素、ジメチル尿素、チオ尿素、モノメチルチオ尿素、ジメチルチオ尿素等のアルキル尿素等の各種の尿素類を用いることができる。
なお、前処理剤は、例えば、さらに、シリカを含んでいてもよい。
【００８０】
［組成物付着工程］
組成物付着工程では、インクジェット法により本発明の水性インクジェット用組成物を液滴として吐出し、記録媒体である布帛（前処理が施された布帛）に、当該液滴を付着させる。これにより、所望の像（パターン）を形成する。像の形成には、複数種の水性インクジェット用組成物（例えば、互いに組成の異なる複数種の本発明の水性インクジェット用組成物）を用いてもよい。
【００８１】
水性インクジェット用組成物を吐出させるインクジェット法は、いずれの方式でもよく、例えば、荷電偏向方式、コンティニュアス方式、オンデンマンド方式（ピエゾ式、バブルジェット（登録商標）式）等が挙げられる。これらの中でも、高精細、装置の小型化等の観点から、ピエゾ式が好ましい。
【００８２】
［定着工程］
定着工程は、通常、高温加湿の条件で行う。
【００８３】
定着工程での処理温度は、例えば、９０℃以上１５０℃以下であるのが好ましく、９５℃以上１３０℃以下であるのがより好ましく、９８℃以上１２０℃以下であるのがさらに好ましい。
【００８４】
定着工程の処理時間は、特に限定されないが、５分間以上１２０分間以下であるのが好ましく、１０分間以上９０分間以下であるのがより好ましく、１５分間以上６０分間以下であるのがさらに好ましい。
【００８５】
定着工程での高温加湿処理には、各種のスチーマー（例えば、マチス社製、スチーマーＤＨｅ型等）を用いることができる。
【００８６】
［洗浄工程］
水性インクジェット用組成物により形成された像が定着された記録媒体（記録物）に対して、洗浄工程を行う。
【００８７】
洗浄工程は、例えば、像が定着された記録媒体を水道水で揉み洗いした後に、４０℃以上７０℃以下の温水中に、ノニオン性ソーピング剤を添加した洗浄液中に、適宜撹拌しながら浸漬することにより行うことができる。洗浄液中への浸漬時間は、例えば、５分間以上６０分間以下とすることができる。その後、洗浄液中に水道水を入れながら手揉み洗いをすることにより洗浄剤を除去する。
【００８８】
以上、本発明の好適な実施形態について説明したが、本発明は、これらに限定されるものではない。
【実施例】
【００８９】
次に、本発明の具体的実施例について説明する。
［１］水性インクジェット用組成物の調製
（実施例１）
まず、市販のＣ．Ｉ．Ａｃｉｄ  Ｂｌａｃｋ  １７２を活性炭濾過、精密濾過および限外濾過により精製した。
【００９０】
その後、この精製されたＣ．Ｉ．Ａｃｉｄ  Ｂｌａｃｋ  １７２を、上記式（１）で示される化合物、グリセリン（Ｇｌｙ）、ジエチレングリコール（ＤＥＧ）、トリエチレングリコール（ＴＥＧ）、トリエチレングリコールモノブチルエーテル（ＴＥＧｍＢＥ）、２−ピロリドン（２−Ｐｙ）、オルフィンＥ１０１０（日信化学工業社製）、ｐＨ調整剤としてのトリエタノールアミン、尿素、防錆剤としてのベンゾトリアゾール、キレート化剤としてのエチレンジアミン四酢酸塩（ＥＤＴＡ）、防黴剤（防腐剤）としてのＰＲＯＸＥＬ−ＸＬ２（Ｓ）（ロンザジャパン社製）および水と所定の割合で混合し、表１に示すような組成の水性インクジェット用組成物を得た。
【００９１】
（実施例２〜１２）
上記のように精製されたＣ．Ｉ．Ａｃｉｄ  Ｂｌａｃｋ  １７２と混合する成分の種類、比率を変更し、表１に示すような組成となるようにした以外は、前記実施例１と同様にして水性インクジェット用組成物を製造した。
【００９２】
（実施例１３）
まず、市販のＣ．Ｉ．Ａｃｉｄ  Ｂｌａｃｋ  １９４を活性炭濾過、精密濾過および限外濾過により精製した。
【００９３】
その後、この精製されたＣ．Ｉ．Ａｃｉｄ  Ｂｌａｃｋ  １９４を、上記式（１）で示される化合物、グリセリン（Ｇｌｙ）、ジエチレングリコール（ＤＥＧ）、トリエチレングリコール（ＴＥＧ）、トリエチレングリコールモノブチルエーテル（ＴＥＧｍＢＥ）、２−ピロリドン（２−Ｐｙ）、オルフィンＥ１０１０（日信化学工業社製）、ｐＨ調整剤としてのトリエタノールアミン、尿素、防錆剤としてのベンゾトリアゾール、キレート化剤としてのエチレンジアミン四酢酸塩（ＥＤＴＡ）、防黴剤（防腐剤）としてのＰＲＯＸＥＬ−ＸＬ２（Ｓ）（ロンザジャパン社製）および水と所定の割合で混合し、表１に示すような組成の水性インクジェット用組成物を得た。
【００９４】
（実施例１４〜１７）
上記のように精製されたＣ．Ｉ．Ａｃｉｄ  Ｂｌａｃｋ  １９４と混合する成分の種類、比率を変更し、表１、表２に示すような組成となるようにした以外は、前記実施例１３と同様にして水性インクジェット用組成物を製造した。
【００９５】
（実施例１８）
前記実施例１で行ったとの同様にして精製したＣ．Ｉ．Ａｃｉｄ  Ｂｌａｃｋ  １７２と、前記実施例１３で行ったとの同様にして精製したＣ．Ｉ．Ａｃｉｄ  Ｂｌａｃｋ  １９４と、上記式（１）で示される化合物、上記式（２）で示される化合物、上記式（３）で示される化合物、上記式（４）で示される化合物、グリセリン（Ｇｌｙ）、ジエチレングリコール（ＤＥＧ）、トリエチレングリコール（ＴＥＧ）、トリエチレングリコールモノブチルエーテル（ＴＥＧｍＢＥ）、２−ピロリドン（２−Ｐｙ）、オルフィンＥ１０１０（日信化学工業社製）、ｐＨ調整剤としてのトリエタノールアミン、尿素、防錆剤としてのベンゾトリアゾール、キレート化剤としてのエチレンジアミン四酢酸塩（ＥＤＴＡ）、防黴剤（防腐剤）としてのＰＲＯＸＥＬ−ＸＬ２（Ｓ）（ロンザジャパン社製）および水と所定の割合で混合し、表１に示すような組成の水性インクジェット用組成物を得た。
【００９６】
（比較例１〜３）
上記のように精製されたＣ．Ｉ．Ａｃｉｄ  Ｂｌａｃｋ  １７２と混合する成分の種類、比率を変更し、表２に示すような組成となるようにした以外は、前記実施例１と同様にして水性インクジェット用組成物を製造した。
【００９７】
（比較例４、５）
上記のように精製されたＣ．Ｉ．Ａｃｉｄ  Ｂｌａｃｋ  １９４と混合する成分の種類、比率を変更し、表２に示すような組成となるようにした以外は、前記実施例１１と同様にして水性インクジェット用組成物を製造した。
【００９８】
前記各実施例および各比較例の水性インクジェット用組成物の組成等を表１、表２に示す。なお、表中、Ｃ．Ｉ．Ａｃｉｄ  Ｂｌａｃｋ  １７２の精製物を「ＡＢ１７２」、Ｃ．Ｉ．Ａｃｉｄ  Ｂｌａｃｋ  １９４の精製物を「ＡＢ１９４」、式（１）で表される化合物を「式（１）」、式（２）で表される化合物を「式（２）」、式（３）で表される化合物を「式（３）」、式（４）で表される化合物を「式（４）」、グリセリンを「Ｇｌｙ」、ジエチレングリコールを「ＤＥＧ」、トリエチレングリコールを「ＴＥＧ」、トリエチレングリコールモノブチルエーテルを「ＴＥＧｍＢＥ」、２−エチル−１，３−ヘキサンジオールを「２Ｅ１３ＨＤ」、２−ピロリドンを「２−Ｐｙ」、オルフィンＥ１０１０（日信化学工業社製）を「Ｅ１０１０」、トリエタノールアミンを「ＴＥＡ」、ベンゾトリアゾールを「ＢＴＡ」、エチレンジアミン四酢酸塩を「ＥＤＴＡ」、ＰＲＯＸＥＬ−ＸＬ２（Ｓ）（ロンザジャパン社製）を「ＸＬ２」、Ｃ１３Ｈ２７Ｏ（Ｃ２Ｈ４Ｏ）３ＣＨ２ＣＯＯＮａ（日光ケミカルズ社製、ＥＣＴＤ３ＮＥＸ）を「ＥＣＴＤ３ＮＥＸ」、ＳＡＧ３０（日本ユニカー社製）を「ＳＡＧ３０」と示した。なお、前記各実施例の水性インクジェット用組成物の２５℃における粘度（キャノンフェンスケ粘度計を用いた測定により求められる粘度）は、いずれも、４ｍＰａ・ｓ以上１０ｍＰａ・ｓ以下の範囲内の値であった。
【００９９】
【表１】
2019172778.tif 000010
【０１００】
【表２】
2019172778.tif 000011
【０１０１】
［２］評価
［２−１］空走試験
記録装置ＰＸ−Ｇ９３０（セイコーエプソン社製）を用いて、このプリンターのインクカートリッジに前記各実施例および各比較例の水性インクジェット用組成物を充填し、縦７２０ｄｐｉ×横７２０ｄｐｉの解像度で、Ａ４判ＯＰＰ用紙に印刷して全ノズルでインク組成物が吐出されることを確認した。その後、吐出せずにヘッドを２０往復させたのち、ノズルチェックパターンにより非吐出ノズルの数を調べ、以下の基準に従い評価した。記録装置（プリンター）の動作環境は３５℃、３５ＲＨ％とした。
【０１０２】
Ａ：ノズル抜け本数が０本であった。
Ｂ：ノズル抜け本数が１本以上５本以下であった。
Ｃ：ノズル抜け本数が６本以上１４本以下であった。
Ｄ：ノズル抜け本数が１５本以上２９本以下であった。
Ｅ：ノズル抜け本数が３０本以上であった。
【０１０３】
［２−２］放置試験
印刷装置ＰＸ−Ｇ９３０（セイコーエプソン社製）を用いて、このプリンターのインクカートリッジに前記各実施例および各比較例の水性インクジェット用組成物を充填し、縦７２０ｄｐｉ×横７２０ｄｐｉの解像度で、Ａ４判ＯＰＰ用紙に印刷して全ノズルでインク組成物が吐出されることを確認した。その後、プリンターを温度２５℃、相対湿度３５％の環境下に６カ月間放置した。放置後、再び全ノズルよりインク組成物を吐出し、初期と同等の印刷が可能となるまでに要したクリーニングの回数を計測した。クリーニングの回数に基づいて、下記評価基準により目詰まり回復性を評価した。
【０１０４】
Ａ：０回から１回のクリーニングで回復した。
Ｂ：２回から３回のクリーニングで回復した。
Ｃ：４回から６回のクリーニングで回復した。
Ｄ：７回から９回のクリーニングで回復した。
Ｅ：９回のクリーニングでも回復しなかった。
これらの結果を表３にまとめて示す。
【０１０５】
【表３】
2019172778.tif 000012
【０１０６】
表３から明らかなように、本発明では優れた結果が得られた。これに対し、比較例では、満足のいく結果が得られなかった。